(57)【特許請求の範囲】
【請求項１】
基地局（７）から着信要求の信号を受信するアンテナ（６）と、着信を報知する着信報知部（５０）と、前記アンテナ（６）と前記着信報知部（５０）の間に設けられて、着信を拒否するように制御するとともに前記着信報知部（５０）を制御する制御回路（３）と、前記メモリ（４）を設けた携帯端末機器に於いて、
前記メモリ（４）は、着信を拒否するか否かを設定する着信拒否設定と、所定の着信拒否条件又は着信報知条件とを格納可能であり、
前記制御回路（３）は、着信要求の信号の受信に応じて、前記着信拒否設定が拒否すると設定されている場合、自己位置情報を取得し、現在の日時、取得した自己位置情報、発信者情報の組み合わせが、前記メモリ（４）内に格納された着信拒否条件又は着信報知条件と合致するか否かを検知し、合致するときは、着信を拒否するよう制御する又は前記着信報知部（５０）により着信報知を制御することを特徴とする携帯端末機器。
【請求項２】
制御回路（３）は、ＧＰＳ衛星からＧＰＳ信号を受信するＧＰＳ受信部（８０）が接続され、前記ＧＰＳ信号に基づいて自己位置情報を得ることを特徴とする請求項１に記載の携帯端末機器。
【請求項３】
前記基地局（７）は、地図情報が格納された地図サーバ（７１）に繋がり、前記メモリ（４）内に格納される自己位置条件を設定するときは、地図サーバ（７１）から入手した地図情報を用いる請求項１又は２に記載の携帯端末機器。
【請求項４】
前記制御回路（３）は、前記自己位置情報がメモリ（４）内に格納された自己位置条件と合致するか否かを検知し、合致した場合は、発信を拒否する請求項２に記載の携帯端末機器。
【請求項５】
基地局（７）と、
前記基地局（７）から着信要求の信号を受信するアンテナ（６）と、着信を報知する着信報知部（５０）と、アンテナ（６）と着信報知部（５０）の間に設けられて、着信を拒否するように制御するとともに前記着信報知部（５０）を制御する制御回路（３）と、メモリ（４）を設け、
前記メモリ（４）は、着信を拒否するか否かを設定する着信拒否設定と所定の着信拒否条件又は着信報知条件を格納可能であり、
前記制御回路（３）は、着信要求の信号の受信に応じて、前記着信拒否設定が拒否すると設定されている場合、自己位置情報を取得し、現在の日時、取得した自己位置情報、発信者情報の組み合わせが、メモリ（４）内に格納された着信拒否条件又は着信報知条件と合致するか否かを検知し、合致するときは、着信を拒否するよう制御する又は前記着信報知部（５０）により着信報知を制御することを特徴とする携帯端末機器とを具えた通信機器システム。
【発明の詳細な説明】
【０００１】
【発明の属する技術分野】
本発明は、ＧＰＳによる位置検索機能を有する携帯電話、ＰＤＡ等の携帯端末機器、及び該携帯端末機器を用いた通信機器システムに関する。
【０００２】
【従来の技術】
以下、携帯端末機器として、携帯電話機を例示する。図４は、従来の携帯電話機の外観を示す斜視図であり、図５は、その内部ブロック図である。これは、２つのキャビネット半体(10)(10a)をヒンジ(11)接続して構成されるキャビネット(１)を具え、一方のキャビネット半体(10)上には、アンテナ(６)、音声を拾うマイク(９)及び複数の操作釦(20)(20)が、他方のキャビネット半体(10a)上には、ＬＣＤである表示部(５)、通話相手の声が流れるスピーカ(90)が設けられている。
図５に示すように、基地局(７)からの信号は、アンテナ(６)及びデュプレクサ(60)を通って受信部(61)にて受信され、タイマー機能を有する制御回路(３)に送られる。ここで、デュプレクサ(60)とは、アンテナ共用器とも呼ばれ、送信信号と受信信号を１本のアンテナ(６)でやりとりするのに用いられるデバイスである。
【０００３】
制御回路(３)には、着信を知らせるリンガー、バイブレータである着信報知部(50)、動作プログラムや着信時に発するメロディ等を格納するメモリ(４)、前記の如くＬＣＤであり通信状態等を示す表示部(５)、前記操作釦(20)(20)を含む操作部(２)、マイク(９)、スピーカ(90)が接続されている。
着信時には、着信報知部(50)が着信を知らせる。相手の音声はスピーカ(90)から流れ、使用者の音声はマイク(９)に拾われ、送信部(62)からデュプレクサ(60)を通ってアンテナ(６)から送信される。このとき、通信状態等が表示部(５)に示される。
【０００４】
近年、ＧＰＳ(Global Positioning System)を用いて自己の位置を検索できる携帯電話機が提案されている(例えば、特開２０００−２４１９６４号、特開平１１−６４４８２号参照)。ここで、ＧＰＳの原理を図６を用いて簡潔に説明する。
図６に示すように、携帯電話機のＧＰＳ用アンテナ(８)は、予め地球に対する位置が判っている４つの人工衛星Ｖ１、Ｖ２、Ｖ３、Ｖ４からＣ／Ａコードと呼ばれる信号を得る。該Ｃ／Ａコードは携帯電話機からも発せられており、携帯電話機から発したＣ／Ａコードと人工衛星から受信したＣ／Ａコードとの時間差を測り、これに電波伝搬速度を乗ずれば、各人工衛星からＧＰＳ用アンテナ(８)までの距離が求まる。各人工衛星の位置、及び人工衛星からＧＰＳ用アンテナ(８)までの距離から、球(地球は球体であるから)の方程式の解として、ＧＰＳ用アンテナ(８)の地球上の位置及び高さが求まる。
【０００５】
【発明が解決しようとする課題】
携帯電話機にあっては、利用者の急増に伴い、公共の場に於けるその使用の仕方が問題になっている。
例えば、病院内では、携帯電話機の電波が医療電子機器の誤作動を引き起こす可能性があり、使用すべきでない。また、図書館や美術館では静粛性を保つ必要から、着信音を鳴らすと、周囲に迷惑である。かかる場合は強制的に使用を制限したいが、今のところ使用者のマナーに委ねているのが実状である。特に着信については、使用者が着信電波の届く範囲内にいれば、電源を切らない限り、着信を遮断することはできない。しかし、使用者が場所を移動する度に、電源を通電／遮断するのは煩わしく、手間が掛かる。
出願人は、上記の如き、自己の位置を知る携帯端末機器が普及しつつある点に鑑みて、予め通話すべきでないエリアを指定し、ＧＰＳ等を用いて検索した自己の位置が該エリア内であるときは、携帯電話機が着信を自動的に拒否することを着想した。また、着信についてはエリアだけでなく、発信者や時間を特定し、該発信者及び該時間内の着信を拒否することも着想した。
本発明の目的は、特定の自己位置、特定の時間に於ける着信、及び特定の発信者からの着信を自動的に拒否し、電源を通電／遮断する手間を省くことにある。
【０００６】
【課題を解決する為の手段】
携帯端末機器は、基地局（７）から着信要求の信号を受信するアンテナ（６）と、着信を報知する着信報知部（５０）と、アンテナ（６）と着信報知部（５０）の間に設けられて、着信を拒否するように制御するとともに着信報知部（５０）を制御する制御回路（３）と、メモリ（４）を設けている。メモリ（４）は、着信を拒否するか否かを設定する着信拒否設定と、所定の着信拒否条件又は着信報知条件とを格納可能であり、制御回路（３）は、着信要求の信号の受信に応じて、着信拒否設定が拒否すると設定されている場合、自己位置情報を取得し、現在の日時、取得した自己位置情報、発信者情報の組み合わせが、メモリ（４）内に格納された着信拒否条件又は着信報知条件と合致するか否かを検知し、合致するときは、着信を拒否するよう制御する又は着信報知部（５０）により着信報知を制御することを特徴とするものである。
【０００７】
【作用及び効果】
メモリ（４）は、着信拒否条件である所定の自己位置条件、日時情報、発信者情報の少なくとも１つが格納可能である。制御回路（３）は、現在の日時、アンテナ（６）が受信した着信要求信号から得られた自己位置情報、発信者情報の組み合わせが、メモリ（４）内に格納された着信拒否条件と合致するか否かを検知する。仮に、合致すれば、制御回路（３）は着信を拒否して着信報知部（５０）を作動させない。即ち、メモリ（４）内に自己位置条件として着信音を鳴らせたくない病院等のエリアを設定しておき、携帯端末機器を持っている使用者自身がそのエリア内に居れば、制御回路（３）はアンテナ（６）から受信した信号から携帯端末機器の位置を割り出して、着信を自動的に拒否する。これにより、使用者が該エリアに出入する度に、電源を通電／遮断する手間を省くことができる。使用者が携帯端末機器を鳴らせたくない日時、発信者の電話番号である発信者情報をメモリ（４）内に入力した場合も同様である。また、メモリ（４）内に、着信報知条件が格納されている場合は、現在の日時、自己位置情報、発信者情報の組み合わせが、メモリ（４）内の着信報知条件と合致するか否かを検知する。合致すれば、制御回路（３）は着信報知部（５０）を作動させる。
【０００８】
【発明の実施の形態】
以下、本発明の一例を図を用いて詳述する。
図１は、本例に係わる携帯電話機の内部ブロック図であり、全体の外観形状は、図４に示す従来のものに略等しい。本例にあっては、自己位置等が予め設定された条件に当てはまるときは、自動的に着信を拒否できる点に特徴がある。
図１に示すように、基地局(７)からの信号は、アンテナ(６)及びデュプレクサ(60)を通って受信部(61)にて受信され、信号処理回路(63)に送られる。該信号処理回路(63)にて、音声信号処理がなされ、且つ携帯電話機の位置(自己位置)が検出され、制御回路(３)に送られる。この自己位置は、携帯電話機がどの基地局(７)の電波到達範囲内かとの情報を基に定めることもできるが、これと合わせて後記するＧＰＳからの情報とにより、精度良く定められる。
【０００９】
制御回路(３)はタイマー機能を有し、従来と同様に、着信報知部(50)、メモリ(４)、表示部(５)、操作部(２)、マイク(９)、スピーカ(90)が接続されている。表示部(５)には制御回路(３)によって現在時刻が表示される。
携帯電話機は、またＧＰＳ用アンテナ(８)を具え、人工衛星からの信号は、該ＧＰＳ用アンテナ(８)を通って、ＧＰＳ受信部(80)にて受信された後に、制御回路(３)に繋がったＧＰＳ信号処理回路(81)に送られる。ＧＰＳ信号処理回路(81)は、人工衛星から受信した高周波信号を低周波数信号に変換するとともに、携帯電話機の位置である自己位置を検出する。
１つの基地局(７)はカバーする範囲が広いので、前記の基地局(７)からの情報だけでは携帯電話機の位置を精度よく特定するのは難しい。しかし、屋内やビルの谷間では人工衛星からの電波が捕捉できない。そこで、基地局(７)からの情報と人工衛星からの信号を組み合わせて、自己位置を精度良く特定している。
【００１０】
基地局(７)は、携帯電話機のネットワーク(70)を介して地図サーバ(71)に繋がる。基地局(７)は、携帯電話機から要求があったときは、地図サーバ(71)から地図データ(画像データ)を読み出して、携帯電話機に送信する。尚、ネットワーク(70)と地図サーバ(71)は、通信プロトコルを変換する複数のゲートウエイを介して繋がってもよく、この内容は特開２００１−５３８１号に開示されている。
【００１１】
(着信拒否設定)
使用者は携帯電話機を操作して、予め自己位置等が特定の条件に当てはまるときは、自動的に着信を拒否する旨を設定する。これは操作釦(20)又は表示部(５)上のメニュを操作することにより自動的に着信を拒否する旨が選択され、制御回路(３)はこの旨のフラグを立て、メモリ(４)内に格納しておく。
次に、使用者は着信拒否すべきエリアを設定する。具体的には、基地局(７)を介して地図サーバ(71)にアクセスし、着信拒否したいエリアを含む地図データを携帯電話機にダウンロードする。ダウンロード後に、操作釦(20)を用いて表示部(５)上にカーソルを動かし、着信拒否したいエリアを指定する。このエリアは、メモリ(４)内に格納される。
エリア設定後は、着信拒否すべき日時又は時間範囲を、操作釦(20)又は表示部(５)上のメニュから入力し、該日時又は時間範囲はメモリ(４)内に格納される。次に、着信拒否すべき発信者の情報、例えば発信者の電話番号を、操作釦(20)から入力し、該発信者情報はメモリ(４)内に格納される。尚、着信拒否すべきエリア、日時又は時間範囲、発信者情報のうち、不要なものは入力する必要は勿論なく、また入力する順番も問わない。更に、着信拒否すべきエリア、日時又は時間範囲、発信者情報を設定してから、自動的に着信を拒否する旨を設定してもよい。
【００１２】
(着信拒否動作)
以下、本例の着信拒否動作を、図２のフローチャートに基づいて説明する。
受信部(61)はアンテナ(６)を介して、基地局(７)から着信要求の信号を受信する。制御回路(３)は、メモリ(４)からフラグの有無を検出して、自己位置等が条件に該当すれば、自動的に着信を拒否する旨が設定されているか否かを確認する(Ｓ1)。自動的に着信を拒否する旨が設定されていなければ、着信を許し(Ｓ6)、自動的に着信を拒否する旨が設定されていれば、ＧＰＳ受信部(80)を作動させて人工衛星から位置情報を得る(Ｓ2)。前記の如く、ＧＰＳと基地局(７)の位置情報を組み合わせて、正確に自己位置を特定し、制御回路(３)は該自己位置がメモリ(４)内に設定されたエリアに含まれるか否かを検知する(Ｓ3)。含まれていれば着信拒否し(Ｓ7)、含まれていなければ、現在の日時がメモリ(４)内に格納された日時に該当するか、又は現在の時刻がメモリ(４)内の時間範囲に含まれるか否かを検知する(Ｓ4)。
【００１３】
該当すれば着信拒否し(Ｓ7)、該当しなければ、着信要求信号から発信者情報、具体的には発信者の電話番号を検索し、該発信者情報がメモリ(４)内に格納されている発信者情報に該当するか否かを検知する(Ｓ5)。該当すれば着信拒否し(Ｓ7)、該当しなければ、着信拒否すべき何れの条件にも該当しないのであるから、着信を許可する(Ｓ6)。
これにより、使用者が予めメモリ(４)に着信拒否条件を格納しておけば、自己位置等が着信拒否条件に該当した場合に、自動的に着信が拒否される、即ち通信が遮断される。この結果、着信拒否条件に該当する度に、電源を通電／遮断する手間を省くことができる。
上記例では、着信拒否条件として、着信拒否すべきエリア、日時又は時間範囲、発信者情報を例示しているが、これらを組み合わせて着信拒否条件としてもよい。例えば、特定の時間範囲に、特定の発信者からの着信を拒否するように、メモリ(４)に入力することも可能である。また、ステップＳ３からステップＳ５までの順番は、適宜入換え可能である。
更に、メモリ(４)に着信拒否条件に代えて、着信報知条件が設定されていても良い。即ち、自己位置等が着信を報知する条件に合致したときは、着信報知部(50)(前記の如く、リンガー、バイブレータ又は光による着信表示である)が着信を知らせる。
【００１４】
(発信拒否動作)
上記の応用例として、基地局(７)及びＧＰＳ衛星から得た自己位置情報に基づいて、発信をも拒否することも考えられる。
図３は、本例の発信拒否動作を示すフローチャートである。使用者が携帯電話機に通電して、送信せんとするときには、制御回路(３)は自己位置等が条件に該当すれば、自動的に発信を拒否する旨が設定されているか否かを確認する(Ｓ10)。自動的に発信を拒否する旨が設定されていなければ、発信を許し(Ｓ13)、自動的に発信を拒否する旨が設定されていれば、ＧＰＳ受信部(80)を作動させて人工衛星から位置情報を得る(Ｓ11)。制御回路(３)は該自己位置がメモリ(４)内に設定されたエリアに含まれるか否かを検知する(Ｓ12)。含まれていれば発信拒否し(Ｓ14)、含まれていなければ発信を許可する(Ｓ13)。
【００１５】
着信のときと違って、発信する場合は、使用者自身が表示部(５)に示される時間を確認すれば、発信すべきか否かが判る。また、発信者自身が自己の発信者情報を入力することは考えにくい。従って、発信拒否条件として、時刻や発信者情報を考慮していない。
これに比して、使用者が移動しながら携帯電話機を用いて通信している際に、不用意に発信すべきでないエリアに入ってしまうことが考えられる。この点に鑑みて、基地局(７)及びＧＰＳ衛星から得た自己位置情報に基づいて、発信を拒否している。
【００１６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、携帯端末機器として携帯電話機を例示したが、これに限らず、ＰＤＡ(Personal Digital Assistant)にも、本例の内容は適用可能である。
また、ｇｐｓＯｎｅ(商標)のように、基地局(７)にＧＰＳ用のアンテナを設け、人工衛星からの電波を該アンテナにて捕捉し、ネットワーク(70)(図１参照)に繋がったサーバが測位を行ってもよい。これにより、携帯電話機にてＧＰＳ信号から測位を行う必要がなく、人工衛星からの電波を捕捉する時間も短くなる。
更に上記例では、自己位置等が着信拒否条件に該当した場合に、自動的に着信が拒否されるとしたが、自己位置等が着信拒否条件に該当した場合にのみ、携帯電話機がマナーモード(着信音を消去するモード)に設定されてもよい。
【図面の簡単な説明】
【図１】本例に係わる携帯電話機の内部ブロック図である。
【図２】本例の着信拒否動作を示すフローチャートである。
【図３】本例の発信拒否動作を示すフローチャートである。
【図４】従来の携帯電話機の外観を示す斜視図である。
【図５】従来の携帯電話機の内部ブロック図である。
【図６】ＧＰＳの原理を示す図である。
【符号の説明】
(３)  制御回路
(４)  メモリ
(６)  アンテナ
(７)  基地局
(50)  着信報知部
(80)  ＧＰＳ受信部
【図１】
0003999992.tif 000002
【図２】
0003999992.tif 000003
【図３】
0003999992.tif 000004
【図４】
0003999992.tif 000005
【図５】
0003999992.tif 000006
【図６】
0003999992.tif 000007